【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
腰部開口部と一対の脚部開口部とを有する伸縮吸収性パンツの製造方法であって、
移動弾性複合材ウェブを形成するように複数の弾性分布を移動材料シート上に連続的に加えるステップと、
コア部を前記移動弾性複合材ウェブ上に周期的に加えるステップと、
個々の弾性複合体ウェブを形成するように第２の材料シートを前記移動弾性複合材ウェブ上に加えるステップと、
前記弾性複合体ウェブを脚部開口部および腰部開口部を有する吸収性パンツに成形するステップと、を備え、前記成形するステップは、周りに弾性環状領域を有する脚部開口部を構成するように前記移動弾性複合材ウェブの１つの部分を周期的に切断することを含む、方法。
【請求項２】
前記成形するステップが、前記弾性複合体に複数の連続的な弾性分布を形成するように各複合体の下半分と上半分の各々を接合するステップを含み、
前記複数の弾性分布を移動材料シート上に連続的に加えるステップは、分布が移動弾性複合材ウェブに向かって機械方向に進むにつれ弾性分布の横方向位置を変動させ、それによって、相互に集束次いで発散する第１の弾性分布の一連の曲線状部分および第２の弾性分布の一連の曲線状部分を形成し、それによって、前記弾性分布が相互に集束する位置で、前記第１の弾性分布の少なくとも複数の弾性部材は、前記第２の弾性分布の少なくとも複数の弾性部材と交差し、前記第１の弾性分布の弾性部材と前記２の弾性分布の弾性部材が最大距離間隔を隔てる第１の領域、および、前記第１の弾性分布の弾性部材が、前記２の弾性分布の弾性部材により近くに位置決めされる第２の領域の交互の領域を形成することを含み、
前記成形するステップは、各複合体を下半分と上半分の各々を接合することを含み、前記接合は、１対の脚部開口部の各々の周りに環状弾性領域を形成し、
前記周期的に切断することは、前記脚部開口部を形成するように環状領域内を切断することを含み、
前記第２の領域に対応する前記移動弾性複合材ウェブの位置にコア部を配置するステップをさらに含む請求項１に記載の方法。
【請求項３】
前記接合するステップが、腰部開口部と一対の脚部開口部の各々の周りに環状弾性領域を形成し、
前記第１の領域は、高振幅の弾性環状領域によって特徴付けられ、前記第２の領域は、低振幅の弾性環状領域によって特徴付けられる請求項２に記載の方法。
【請求項４】
複数の弾性分布を移動材料シート上に連続的に加えるステップは、少なくとも２つの直線状の弾性領域を設けることを含み、前記少なくとも２つの直線状の弾性領域は、前記移動弾性複合材ウェブ上に横方向に間隔を隔てて加えられ、それによって、第１の直線状の弾性分布が、前記移動弾性複合材ウェブの第１の縁の近くに加えられ、第２の直線状の弾性分布が、前記移動弾性複合材ウェブの前記第１の縁から横方向に間隔を隔てて配置された前記移動弾性複合材ウェブの第２の縁の近くに加えられる請求項２に記載の方法。
【請求項５】
前記接合するステップの前に、長手方向中心線に沿って前記ウェブを折り畳むステップを含み、前記接合するステップが、少なくとも腰部開口部を形成するように２つの側部縫い目に沿って前記２つの半分をシールすることを含み、
前記接合するステップ後、前記弾性複合体の各側部境界が横方向の側部縫い目と前記切抜き部から成るように、前記接合するステップの前に、隣接弾性複合体に隣接する位置で前記完成ウェブの切抜き部を周期的に切断するステップを含む、請求項２に記載の方法。
【請求項６】
前記成形するステップが、前記切抜き部を二等分する切断線に沿って前記完成ウェブを分断するステップをさらに含む請求項４に記載の方法。
【請求項７】
前記接合するステップが前記分断するステップに先行し、前記分断するステップが腰部開口部と、一対の脚部開口部と、２つの横方向の側部縫い目を通って延びる複数の弾性分布とを有する弾性吸収性パンツを生成する請求項６に記載の方法。
【請求項８】
前記弾性分布に間隙を形成するように１つまたは２つ以上の前記複数の弾性分布を周期的に分断するステップをさらに含み、前記間隙が、弾性体の存在しないウェブ上の領域に相当するように予め配置される請求項１に記載の方法。
【請求項９】
前記加えるステップの各々が、個々の弾性複合体の移動ウェブの１つの層要素を機械方向に加えることを含む請求項１に記載の方法。
【請求項１０】
吸収性物品の弾性複合体が分離される弾性複合材ウェブの製造方法であって、
材料シートの連続ウェブを長手方向または機械方向に搬送するステップと、
弾性複合材ウェブを形成するように前記移動ウェブ上に複数の連続的な弾性分布を加え、それによって、前記弾性分布が全体として機械方向に延びる、連続的な弾性分布を加えるステップと、
前記移動弾性複合材ウェブ上にコア部を周期的に加えるステップと、
表面材料シートを、前記コア部を含む前記ウェブ上に連続的に加えるステップと、を含み、
前記連続的な弾性分布を加えるステップは、２組の弾性分布を加え、前記２組の弾性分布は、前記移動弾性複合材ウェブ上にコア部を周期的に加えるステップの後に、前記コア部に一致する部分を含み、
前記連続的な弾性分布を加えるステップが、前記移動複合材ウェブ上に少なくとも２つの曲線状の弾性分布を設けるように、前記弾性分布が前記移動弾性複合材ウェブに向かって機械方向に進むとき前記弾性分布の横方向位置を変動させることを含み、それによって、前記少なくとも２つの曲線状の弾性分布は、低振幅および高振幅の交互の部分を特徴付け、
低振幅の部分に対応する前記移動弾性複合ウェブの位置に、コア部を配置するステップをさらに含み、それによって、前記弾性分布は、１つの高振幅の部分から、前記コア部が配置されている低振幅の部分を通って、もう１つの高振幅の部分まで連続的に延びる、方法。
【請求項１１】
前記連続的な弾性分布を加えるステップが、前記弾性分布が前記移動弾性複合材ウェブに向かって機械方向に進むとき前記弾性分布の横方向位置を変動させることによって前記移動ウェブ上に少なくとも２つの周期的な弾性分布を設け、および、少なくとも２つの直線状の弾性分布を設け、前記少なくとも２つの直線状の弾性領域は、前記移動弾性複合材ウェブ上に横方向に間隔を隔てて加えられ、それによって、第１の直線状の弾性分布が、前記移動弾性複合材ウェブの第１の縁の近くに加えられ、第２の直線状の弾性分布が、前記移動弾性複合材ウェブの前記第１の縁から横方向に間隔を隔てて配置された前記移動弾性複合材ウェブの第２の縁の近くに加えられる請求項１０に記載の方法。
【請求項１２】
前記連続的な弾性分布を加えるステップが、前記材料シートとの係合前に前記弾性分布の横方向位置を周期的に変動させることを含む請求項１０に記載の方法。
【請求項１３】
前記連続的な弾性分布を加えるステップが、前記移動弾性複合材ウェブ上に２つの曲線状のパターンを設けるように横方向位置を周期的に変動させることを含む請求項１２に記載の方法。
【請求項１４】
前記連続的な弾性分布を加えるステップが、コア部を加えるステップで、環状弾性領域が前記コアの周囲に設けられるように、前記曲線状のパターンを交差するように方向付けることを含む、請求項１３に記載の方法。
【請求項１５】
前記連続的な弾性分布を加えるステップが、前記ウェブに弾性環状領域を周期的に形成する一対の全体として正弦波状パターンを設ける請求項１０に記載の方法。
【請求項１６】
長手方向中心線を中心に前記移動ウェブを折り畳んで、折り畳まれた弾性複合体のウェブを形成することをさらに含み、各体が一対の機械を横切る切断線を中心に分断可能で、腰部開口部を有する完成した吸収性物品を形成する請求項１０に記載の方法。
【請求項１７】
前記分断ステップの前に、前記機械を横切る切断線に沿ってシールし、前記吸収性物品の上腰部領域を形成することをさらに備える請求項１６に記載の方法。
【請求項１８】
周りに弾性環状領域を有する脚部開口部を形成するように弾性環状領域によって境界付けられる前記移動ウェブの部分を周期的に切断するステップをさらに含む請求項１７に記載の方法。
【請求項１９】
前記切断ステップが、長手方向中心線を中心に非対称に前記移動ウェブに周期的に穴を開け、それによって、非均一な前部と後部を有する脚部開口部を生成することを含む請求項１８に記載の方法。
【請求項２０】
吸収性パンツ状の伸縮使い捨て吸収性物品であって、
裏面シートと、表面シートと、前記裏面シートと表面シートの間の吸収性コアと、前記表面シートと裏面シートとの間の複数の弾性分布とを有する弾性複合体であって、前端縁、後端縁、および各々が頂部、底部、およびそれらの間の非線形切抜き部を有する２つの横方向側縁を有する弾性複合体と、
前記端縁によって形成される腰部開口部と、
各々が前記横方向側縁のうちの一方の前記切抜き部によって少なくとも部分的に形成される一対の脚部開口部と、
各々が前記横方向側縁のうちの一方の前記頂部と底部の接合によって形成される一対の側部縫い目と、
を備え、
前記弾性分布が前記側部縫い目で接合されて各脚部開口部周りに実質的に環状の弾性領域を形成する物品。
【請求項２１】
前記シールされた側縁で接合されて、前記腰部開口部周りに実質的に環状の弾性領域を形成する一対の弾性分布をさらに備える請求項２０に記載の吸収性物品。
【請求項２２】
前記弾性複合体が、前記複合体の横幅にわたって横方向に延び、前記シール縁部で接合されて実質的に環状の弾性領域を形成する一対の弾性分布を含む請求項２１に記載の吸収性物品。
【請求項２３】
前記一対の弾性分布が前記コアと一致する環状弾性領域を形成する請求項２２に記載の吸収性物品。
【請求項２４】
前記弾性分布のうち１つまたは２つ以上が前記コアを横断して弾性を与える請求項２２に記載の吸収性物品。
【請求項２５】
前記弾性分布は前記コアの領域に間隙を空けられる請求項２０に記載の吸収性物品。
【請求項２６】
第１の周期的な弾性分布の弾性部材は、第１の直線状の弾性分布の弾性部材と交差し、第２の周期的な弾性分布の弾性部材は、第２の直線状の弾性分布の弾性部材と交差する
請求項４に記載の方法。